(57)【要約】  熱変形可能なウェア（２）を身体部分に適合させるための方法において、そのウェア（２）を、少なくとも部分的に加熱して、接触領域（４）及び対応する身体部分に接触させる。ウェア（２）は、使用位置において身体側に向いた側、及び使用位置において身体と反対側に向いた側を有する。少なくとも部分的に加熱したウェア（２）を身体部分の形状に少なくとも部分的に適合させるために、少なくとも１つの圧力付与手段（５）によって、ウェア（２）の身体と反対側に向いた側に少なくとも部分的に成形圧（３５）を付与する。ウェアが身体部分に適合した形状で安定化するように、冷却手段によってウェア（２）を少なくとも部分的に冷却する。【選択図】図２
2019526294.tif 000002
【特許請求の範囲】
【請求項１】
熱変形可能なウェア（２）を身体部分に適合させるための方法であって、使用位置において身体側に向いた側、及び使用位置において身体と反対側に向いた側を有する前記ウェア（２）を、少なくとも部分的に加熱して、接触領域（４）及び対応する身体部分に接触させる、方法において、
少なくとも部分的に加熱された前記ウェア（２）を前記身体部分の形状に少なくとも部分的に適合させるために、少なくとも１つの圧力付与手段（５）によって、前記ウェア（２）の身体と反対側に向いた側に少なくとも部分的に成形圧（３５）を付与すること、及び、
前記ウェアが前記身体部分に適合した形状で安定化するように、冷却手段によって前記ウェア（２）を少なくとも部分的に冷却すること、を特徴とする方法。
【請求項２】
前記ウェアを前記接触領域（４）に接触させる前に、及び／又は接触させている間に、前記ウェアが変形可能となるまで、前記ウェア（２）に熱を供給することを特徴とする、請求項１に記載の方法。
【請求項３】
前記ウェア（２）内又は前記ウェア（２）上に配置された発熱体（１１）によって前記ウェア（２）に熱を供給することを特徴とする、請求項１又は２に記載の方法。
【請求項４】
前記圧力付与手段（５）として、好ましくは成形クッションである弾性変形可能な圧力付与手段（５）を使用すること、及び、
特に前記圧力付与手段（５）は、冷却手段として使用されること、を特徴とする、請求項１〜３のいずれかに記載の方法。
【請求項５】
好ましくは圧縮性のリザーバタンク（１３）から、冷却ライン（１４）を介して、冷却液（１２）を、冷却手段として機能する前記圧力付与手段（５）に送ることを特徴とする、請求項４に記載の方法。
【請求項６】
前記圧力付与手段（５）は、弾性変形するように冷却液（１２）が充填されること、及び、
前記変形した圧力付与手段（５）は、前記ウェア（２）の身体と反対側に向いた側に少なくとも部分的に成形圧（３５）を付与すること、を特徴とする、請求項５に記載の方法。
【請求項７】
前記ウェア（２）の冷却後に、前記冷却液（１２）を、前記圧力付与手段（５）から前記冷却ライン（１４）を介して前記リザーバタンク（１３）に送ることを特徴とする、請求項５又は６に記載の方法。
【請求項８】
前記冷却液（１２）は、ポンプ（１０）又は圧力シリンダによって、前記リザーバタンク（１３）から前記圧力付与手段（５）に、そして前記圧力付与手段（５）から前記リザーバタンク（１３）に送られ、好ましくは、前記ポンプ（１０）又は前記圧力シリンダと前記圧力付与手段（５）との間の前記冷却ライン（１４）において、少なくとも１つの圧力センサ（１５）を使用する、ことを特徴とする、請求項５〜７のいずれかに記載の方法。
【請求項９】
前記接触領域（４）に圧力（３４）を付与することであって、特に、前記ウェア（２）の身体側に向いた側に圧力（３４）を付与すること、及び、
前記圧力（３４）を、冷却液（１２）が充填された前記圧縮性リザーバタンク（１３）に伝送すること、を特徴とする、請求項５〜７のいずれかに記載の方法。
【請求項１０】
前記圧力（３４）を、前記接触領域（４）の辺りに配置された好ましくはバネであるエネルギー蓄積機構（２８）を介して前記リザーバタンク（１３）に伝送し、この場合、前記冷却ライン（１４）において特にソレノイド弁である好ましくは弁（２９）を使用する、ことを特徴とする、請求項９に記載の方法。
【請求項１１】
前記冷却ライン（１４）は、前記リザーバタンク（１３）の初期状態では、前記弁（２９）によって閉止されて、これにより、前記リザーバタンク（１３）から前記冷却ライン（１４）への冷却液（１２）の流れ、及び前記リザーバタンク（１３）の圧縮は、阻止されていること、及び、
前記ウェア（２）の適合及び冷却のためには、前記弁（２９）を開放し、これにより、前記リザーバタンク（１３）は圧縮し、前記圧力付与手段（５）に冷却液（１２）が流入すること、を特徴とする、請求項１０に記載の方法。
【請求項１２】
前記ウェア（２）の冷却後に、前記接触領域（４）に付与される前記圧力（３４）がもはやなくなると、前記冷却液（１２）は、前記圧力付与手段（５）から前記リザーバタンク（１３）へ戻るように流れて、前記冷却ライン（１４）が前記弁（２９）で閉止されると、前記圧力付与手段（５）及び前記リザーバタンク（１３）はそれぞれの初期状態に戻る、ことを特徴とする、請求項１０又は１１に記載の方法。
【請求項１３】
前記ウェア（２）として、特に靴用中敷であるソール（２）、すね当て、肘当て、膝当て、上腕ガード、若しくは背中ガードのようなプロテクタ、又はヘルメット若しくはヘルメット用中帽、を用いることを特徴とする、請求項１〜１２のいずれかに記載の方法。
【請求項１４】
少なくとも部分的に加熱された熱変形可能な少なくとも１つのウェア（２）を身体部分に適合させるための装置であって、当該装置は、前記ウェア（２）への接触領域（４）を有し、前記ウェア（２）は、使用位置において身体側に向いた側、及び使用位置において身体と反対側に向いた側を有する、装置において、
当該装置（１）は、少なくとも１つの前記圧力付与手段（５）を備え、前記圧力付与手段は、前記ウェア（２）を少なくとも部分的に身体部分の形状に適合させることができるように、少なくとも部分的に加熱された前記ウェア（２）の身体と反対側に向いた側に少なくとも部分的に成形圧（３５）を付与すること、及び、
当該装置は、前記ウェア（２）を少なくとも部分的に冷却するための少なくとも１つの冷却手段を備えること、を特徴とする装置。
【請求項１５】
前記ウェア（２）を加熱するための手段が設けられていることであって、特に、前記ウェア（２）内及び／又は前記ウェア（２）上に配置された前記発熱体（１１）のための電圧源が設けられていることを特徴とする、請求項１４に記載の装置。
【請求項１６】
前記圧力付与手段（５）は、弾性変形可能であって、好ましくは成形クッションであること、及び、
当該装置（１）は、冷却液（１２）が充填されたリザーバタンク（１３）を備え、前記リザーバタンク（１３）は、前記冷却ライン（１４）を介して、冷却手段として機能する前記圧力付与手段（５）に接続されていること、を特徴とする、請求項１４又は１５に記載の装置。
【請求項１７】
当該装置は、前記冷却液（１２）を送るために、特に前記冷却ライン（１４）に配置されたポンプ（１０）又は圧力シリンダを備え、好ましくは、前記ポンプ（１０）又は前記圧力シリンダと前記圧力付与手段（５）との間の前記冷却ライン（１４）に、圧力センサ（１５）が配置される、ことを特徴とする、請求項１６に記載の装置。
【請求項１８】
前記接触領域（４）に付与される圧力（３４）であって、特に前記ウェア（２）の身体側に向いた側に付与される圧力（３４）を、冷却液（１２）が充填された前記リザーバタンク（１３）に伝送可能である、ことを特徴とする、請求項１６に記載の装置。
【請求項１９】
前記接触領域（４）に対して、冷却液（１２）が充填された圧縮性のリザーバタンク（１３）が割り当てられていること、及び、
前記接触領域（４）と前記リザーバタンク（１３）との間に、前記圧力（３４）を前記リザーバタンク（１３）に伝送する特にバネであるエネルギー蓄積機構（２８）が配置されており、この場合、好ましくは、前記冷却ライン（１４）に、特にソレノイド弁である弁（２９）が配置されること、を特徴とする、請求項１８に記載の装置。
【請求項２０】
前記弁（２９）が閉止された状態では、前記リザーバタンク（１３）は圧縮不可能であり、前記弁（２９）が開放された状態では、前記リザーバタンク（１３）は前記圧力（３４）によって圧縮可能である、ことを特徴とする、請求項１９に記載の装置。
【発明の詳細な説明】
【技術分野】
【０００１】
本発明は、熱変形可能なウェアを身体部分に適合させるための方法に関し、その方法では、使用位置において身体側に向いた側、及び使用位置において身体と反対側に向いた側を有するウェアを、少なくとも部分的に加熱して、接触領域及び対応する身体部分に接触させる。
【０００２】
さらに、本発明は、少なくとも部分的に加熱された熱変形可能な少なくとも１つのウェアを身体部分に適合させるための装置に関し、その装置は、ウェアへの接触領域を有し、ウェアは、使用位置において身体側に向いた側、及び使用位置において身体と反対側に向いた側を有する。
【背景技術】
【０００３】
熱変形可能なソールを足裏に適合させるために、砂又は発泡スチロール球による真空クッションを詰めた槽に、靴を履いていない個人が乗ることで、そこに足形を残すことが知られている。その後、必要に応じて、足形の形状を安定化させるために、真空ポンプで、真空クッションから空気を吸引する。次に、予熱したソールを足形の上に置いて、その加熱されたソールの上に個人が立つ。
【０００４】
この方法にはいくつかの欠点がある。ソールは高温に加熱される必要があるので、炉での加熱は比較的長時間を要する。例えば、ソールは、１２０℃で約１０分間、炉で加熱されるのが一般的である。その後、その全面が約７０℃の温度である十分に加熱されたソールの上に個人が乗る。この温度は、しばしば不快なものとして知覚される。
【０００５】
さらには、ソールが冷めるまで、個人は、ソールの上に立ったままでいなければならず、さもなければ、ソールは、個人の足裏の正確な形状を呈しないからである。この冷却も同様に、一般的には約１５分間の比較的長時間を要する。
【０００６】
特許文献１は、少なくとも部分領域において熱可塑性変形可能な素材からなるインナーブーツについて開示しており、インナーブーツの熱可塑性変形可能な領域には、発熱体が配置されている。このインナーブーツを個人の足裏に適合させることを可能とするためには、インナーブーツを装着した靴の中に個人が足を入れる。続いて、発熱体で、インナーブーツの熱可塑性変形可能な領域を加熱する。加熱のために、発熱体は、インナーブーツに配置されたバッテリに接続される。冷めるのに比較的長時間を要するという欠点は依然としてある。インナーブーツが冷めて、その形状が安定化するまで、個人が靴の中に立ったままでいるのではなく、インナーブーツがまだ冷めていない状態で歩きだすと、インナーブーツの形状が変化し続けて、個人の足裏の形状に適合しないおそれがある。
【先行技術文献】
【特許文献】
【０００７】
【特許文献１】独国特許出願公開第１０２００７００２３３５号明細書
【発明の概要】
【発明が解決しようとする課題】
【０００８】
本発明の目的は、冒頭に記載したタイプの方法及び装置を提供することであり、この方法及び装置によって、身体部分へのウェアの適合、及び適合させたウェアの冷却を、可能な限り迅速かつ効率的に実現することができ、これにより、先行技術の欠点の大部分は回避されるはずである。
【課題を解決するための手段】
【０００９】
この目的は、本発明により、請求項１に記載の特徴を有する方法を用いて達成される。
【００１０】
さらに、この目的は、本発明により、請求項１４に記載の特徴を有する装置を用いて達成される。
【００１１】
本発明の好適かつ効果的な実施形態は、従属請求項の主題である。
【００１２】
本発明によれば、少なくとも部分的に加熱されたウェアを身体部分の形状に少なくとも部分的に適合させるために、少なくとも１つの圧力付与手段によって、ウェアの身体と反対側に向いた側に少なくとも部分的に成形圧又はフィット圧を付与すること、及び、ウェアが身体部分に適合した形状で安定化するように、冷却手段によってウェアを少なくとも部分的に冷却すること、が規定される。この目的のため、本発明による装置は、少なくとも１つの圧力付与手段を備え、その圧力付与手段は、ウェアを少なくとも部分的に身体部分の形状に適合させることができるように、少なくとも部分的に加熱されたウェアの身体と反対側に向いた側に少なくとも部分的に成形圧を付与し、本装置は、ウェアを少なくとも部分的に冷却するための少なくとも１つの冷却手段を備える。これにより、個人が、過度に高温のウェアに過度に長時間接触する必要なく、ウェアは、迅速に加熱されて、適合又は成形されることができ、そして、その適合した形状で安定化させることができる。
【００１３】
好ましくは、熱可塑性樹脂の領域を少なくとも有するウェア、又は熱可塑性樹脂で少なくとも部分的に構成されたウェアに対して、これを接触領域に接触させる前に、及び／又は接触させている間に、これが変形可能となるまで、熱を供給する。この目的のため、この熱可塑性樹脂を、これが熱弾性の物理的状態を呈するとともに形状安定的に変形可能な温度、又は熱可塑性変形可能となる温度であって、この樹脂が液体になる温度よりも低い温度まで、少なくとも部分的に加熱する。
【００１４】
ただし、本発明の範囲内で、ウェアを部分的又は全体的に加熱することも可能であり、ウェアを部分的又は全体的に冷却することも可能である。
【００１５】
ウェア内又はウェア上に配置された発熱体によって熱がウェアに供給されると、特に効果的である。これにより、極めて迅速かつ効率的に、例えば１０〜１５秒以内で、ウェアを変形可能にすることができ、また、このとき、ウェア全体を、特にウェアの表面全体を、加熱する必要はない。従って、適合又は成形のために個人が身体部分に接触させるウェアの側は、不快さらには苦痛と知覚されない温度を有することができる。
【００１６】
ウェア内及び／又はウェア上に配置された発熱体のコンタクトに印加される電圧によって熱がウェアに供給されると、特に効果的である。それらのコンタクトは、例えば、接触面として、接触点として、又はプラグイン接続としても、構成することができる。この目的のため、本装置は、対応した形状の相手コンタクトを対応する位置に備えることができる。また、誘導によって装置から発熱体に電圧を伝送する実施形態も想定できる。
【００１７】
本発明の範囲内で、圧力付与手段として、接触領域の辺りに配置される好ましくは成形クッションである弾性変形可能な圧力付与手段を用いることが規定される。その圧力付与手段は、例えば、内部を中空とすることができ、シリコーン又は他の弾性材料の外装を有することができる。好ましくは、圧力付与手段は、冷却手段としても使用される。
【００１８】
本方法の好ましい一実施形態では、例えば圧縮性リザーバタンクから、冷却ラインを介して、冷却液を、冷却手段として機能する圧力付与手段に送る。これにより、冷却液が充填された圧力付与手段は、接触領域に配置されたウェアの方向に弾性変形して、ウェアの身体と反対側に向いた側に成形圧を付与する。このとき、圧力付与手段は、ウェアの一部のみに接触するか、又はウェアを略完全に包囲することができ、そして、ウェアの一部のみ又は大部分に成形圧を付与することができる。加熱によって変形可能にされたウェアは、成形圧によって、対応する身体部分に押し当てられて、その身体部分に対応した形状を呈する。冷却液は、適切な冷却流体と規定される。
【００１９】
圧力付与手段に取り込まれた冷却液によって、成形中及び／又は成形後にウェアから熱が除去されることが、特に好ましく、このとき、ウェアがもはや変形不可能となって身体部分に適合した形状で安定化するほどの熱が、ウェアから除去されることが好ましい。ウェアの冷却後に、冷却液は、圧力付与手段から冷却ラインを介してリザーバタンクに戻される。
【００２０】
使用する冷却液は、本方法の実施前及び／又は実施中に、リザーバタンクにおいて、熱交換器若しくは他の何らかの方法によって例えば５〜１０℃に冷却することができる。
【００２１】
本発明の範囲内で、特に好ましい一実施形態では、冷却液は、好ましくは電気ポンプであるポンプ又は圧力シリンダによって、リザーバタンクから圧力付与手段に送られ、そして圧力付与手段からリザーバタンクに戻され、好ましくは、圧力付与手段とポンプ又は圧力シリンダとの間の冷却ラインにおいて、少なくとも１つの圧力センサを使用する。本発明の範囲内で、ポンプを使用することは、実現が構造的に容易であるとともに、特に良好な制御が可能であるため、特に好ましい。
【００２２】
本発明による方法の代替的な一実施形態では、ウェアの身体側に向いた側に付与された圧力を、特に接触領域の辺りに配置された好ましくはバネであるエネルギー蓄積機構を介して、冷却液が充填された圧縮性リザーバタンクに伝送することができ、この場合、特にソレノイド弁である弁を冷却ラインに配置する。
【００２３】
そのような代替的な一実施形態では、リザーバタンクから出る冷却ラインは、リザーバタンクの初期状態では、好ましくは弁で閉止されて、これにより、リザーバタンクから冷却ラインへの冷却液の流れ、及びリザーバタンクの圧縮は、阻止されている。ウェアの適合又は成形及び冷却のためには、弁を開放し、これにより、伝送される圧力によってリザーバタンクは圧縮し、冷却液は、弁を通り、冷却ラインを介して、接触領域の辺りに配置された圧力付与手段へと流れる。
【００２４】
ウェアの冷却後に、すなわち接触領域に付与される圧力がもはやなくなると、冷却液は、圧力付与手段から冷却ライン及び弁を通ってリザーバタンクへ戻るように流れることが、特に好ましく、このとき、リザーバタンクから出る冷却ラインが弁で閉止されると、圧力付与手段及びリザーバタンクはそれぞれの初期状態に戻る。
【００２５】
本発明による方法では、ウェアとして、特に靴用中敷であるソール、例えば、すね当て、肘当て、膝当て、上腕ガード、若しくは背中ガードのようなプロテクタ、又はヘルメット若しくはヘルメット用中帽、を用いることができる。
【００２６】
本発明の範囲内で、特に適合若しくは成形ステップである少なくとも１つの方法ステップの開始時及び／又は実行中及び／又は終了時に、適切な通知手段によって光信号及び／又は音響信号を出力することを、規定することができる。
【００２７】
本方法は、例えばコンピュータ制御装置である制御装置によって、部分ごとに、若しくは連続的に、監視、支援、最適化、及び／又は制御されることが可能である。
【００２８】
本発明による方法を実施するための装置は、複数の、接触領域、圧力付与手段、冷却手段、及び／又はリザーバタンクを備えることができ、これにより、複数のウェアを同時に、好ましくは、例えば足裏のような、個人の同様の形状の複数の身体部分に適合させることができる。
【００２９】
本発明による方法の手順は、靴用中敷（ソール）の例を用いて、以下のように要約できる：
【００３０】
第１の方法ステップで、少なくとも部分的に熱変形可能なソールを、ベース型の接触領域の上に配置する。このとき、弾性圧力付与手段は、ソールの中央領域におけるソールの底側の一部及びいくつかの狭側の一部を、少なくとも部分的に包囲する。
【００３１】
続いて、片方の足をソールの表面に乗せると、これによりソールに圧力が作用する。ベース型の中のソール及び／又は足の位置若しくは配置を、レーザセンサを用いて確認することができ、さらに必要に応じて、サイズアジャスタを用いて修正することができる。それらのベース型の相互の距離は、必要に応じて、サーボモータによって変更することができる。
【００３２】
次の方法ステップで、ソール内又はソール上に配置されている発熱体を、電圧を印加することにより加熱する。この目的で必要な電圧は、発熱体のコンタクトに接続される、ベース型に配置された対応する相手コンタクトを介して伝送される。この加熱プロセスは、ソールが熱弾性状態に移行するのに十分に長い時間加熱されたら、直ちに終了する。このために必要な温度に達したことを、ＬＥＤ又は他の通知手段によって通知することができる。
【００３３】
次の方法ステップである成形プロセスで、冷却液を、例えばポンプによって、リザーバタンクから冷却ラインを介して弾性圧力付与手段に圧送する。弾性圧力付与手段は、このときに膨張して、ソールの中央領域における底側及びいくつかの狭側に対して成形圧を付与し、ソールの上に立つ足の裏に対して、特に足裏の中足部領域又は横アーチ領域において、ソールをフィットさせて、加圧また成形する。成形圧又は冷却ライン圧力の強度は、冷却ラインに配置された圧力センサによって確認することができ、そしてポンプで調整することができる。
【００３４】
圧力付与手段は、成形プロセス中に圧力付与手段に圧送された冷却液によってソールから熱を除去するので、同時に冷却手段としても機能する。これにより、ソールの熱変形可能な領域は冷めて、ソールは、形状安定状態に移行し、足裏の形状に対応した既に呈している形状を維持する。
【００３５】
その後、冷却液をリザーバタンクに再び戻すように圧送することができ、足をソールから外し、足裏に適合させた成形が完了したソールを、ベース型から取り外すことができる。
【００３６】
本発明による装置の代替的な一実施形態を用いた本発明による方法の代替的な一実施形態では、圧力付与手段に冷却液を充填するためにポンプを必要としない。この目的のため、この代替実施形態では、接触領域と冷却液用圧縮性リザーバタンクとの間に、好ましくはバネであるエネルギー蓄積機構を配置し、さらに冷却ラインは、好ましくはソレノイド弁である弁を有する。
【００３７】
この代替実施形態の第１の方法ステップでは、足によってソールに作用する圧力が、エネルギー蓄積機構に伝送される。この第１の方法ステップでは、弁は閉止しているので、リザーバタンクは、その中に略非圧縮性の冷却液を収容していることによって圧縮できない。従って、エネルギー蓄積機構は、受けた圧力を、例えば変形エネルギーの形で蓄える。
【００３８】
少なくとも部分的に熱変形可能なソールを、少なくとも部分的に変形可能な温度に加熱したら、次の方法ステップで、弁を開放すると、その後、エネルギー蓄積機構から放出される圧力によってリザーバタンクは圧縮する。リザーバタンクに収容されている冷却液は、リザーバタンクから冷却ラインを介して圧力付与手段へと押し出される。
【００３９】
このように開始された成形プロセスは、上述の方法の実施形態と同様に進行し、その違いは、ソールから足を外すことで、これによりソールに作用する圧力も取り除かれると、その後、リザーバタンクが自ら再び膨張することであり、これによって、冷却液は、圧力付与手段から冷却ラインを通ってリザーバタンクに戻るように流れるか、又は吸い込まれる。
【００４０】
本発明のさらなる詳細、特徴、及び効果は、好ましい実施形態を示す添付の図面を参照して、以下の説明から明らかになるであろう。
【図面の簡単な説明】
【００４１】
【図１】図１は、ソールを適合させるための、本発明による装置の一部分の等角図を示している。
【図２】図２は、ソールを適合させるための、本発明による装置の一実施形態の概略図を示している。
【図３】図３は、ソールを適合させるための、本発明による装置の代替的な一実施形態の、第１の方法ステップでの概略図を示している。
【図４】図４は、ソールを適合させるための、本発明による装置の代替実施形態の、他の方法ステップでの概略図を示している。
【発明を実施するための形態】
【００４２】
図１は、ソール２を足裏に適合させるための、本発明による装置１で使用するベース型３の図を示している。ベース型３は、図１に示していないソール２を当接させるための接触領域４を有する。ソール２は、足裏と反対側に向いた底側、足裏側に向いた表側、及びいくつかの狭側を有し、さらに、前部つま先領域、中央領域、及び後部踵領域を有する。
【００４３】
ベース型３において、接触領域４に、圧力付与手段５としての充填可能なシリコーンクッションが配置されており、このシリコーンクッションは、ソール２が載せられたときに、その載せられたソール２の中央領域の底側及びいくつかの狭側に関連付けられる。
【００４４】
載せられたソール２のつま先領域の辺りに、レーザセンサ６がベース型３上に配置されており、これにより、載せられたソール２の表側に乗せた足の配置を、ソール２に作用する圧力によって確認及び測定することができ、必要に応じて、それらの配置を修正することができる。
【００４５】
載せられたソール２の踵領域の辺りに、サイズアジャスタ７がベース型３上に配置されており、これにより、載せられたソール２の位置を、ベース型３の長手方向に調整又はシフトすることができる。さらに、載せられたソール２の踵領域の辺りに、ソール２上又はソール２内に配置された発熱体１１のコンタクト９に対応した電気的な相手コンタクト８がベース型３上に配置されている。本発明の範囲内で、このような相手コンタクト８は、ソール２の対応するコンタクト９の位置に応じて、ベース型３の任意の領域に配置することができる。
【００４６】
図２は、この目的に適した本発明による装置１を用いた、ソール２に対する本発明による方法の成形プロセスを示している。この装置１は、個人の両足のためのソール２を同時に成形することができるように、２つの隣り合わせで配置されたベース型３を備える。
【００４７】
加熱されたことで変形可能なソール２の各々を、本発明による装置１において、それぞれの接触領域４に当接させて配置し、圧力付与手段５の１つによって、そのソールを、ソールに乗せられた図示していない足の裏に対して押し当てるか、又は成形する。発熱体１１のコンタクト９に、ベース型３に配置された対応する相手コンタクト８を介して電圧を印加することにより、各ソール２の加熱を発熱体１１によって行う。
【００４８】
冷却液１２が充填された単一のリザーバタンク１３が、両方の接触領域４に対して割り当てられている。未膨張である初期状態の弾性圧力付与手段５を膨張させて、ソール２に成形圧を付与するために、初期状態ではリザーバタンク１３に収容されている冷却液１２を、成形プロセスでは、ポンプ１０によって冷却ライン１４を介して圧力付与手段５に圧送する。冷却ライン１４の中又は冷却ライン１４上に配置された圧力センサ１５によって、冷却ライン１４内の圧力を測定することができ、ひいては圧力付与手段５内の圧力も測定することができる。
【００４９】
成形プロセス中は、圧力付与手段５に圧送された冷却液１２によって、ソール２から熱を除去し、これにより、熱可塑性樹脂で構成されたソールの領域は、形状安定状態に移行して、足裏の形状を維持する。このように、圧力付与手段５は、冷却手段としても機能する。
【００５０】
リザーバタンク１３内の冷却液１２は、リザーバタンク１３に配置されたファン１７と共に熱交換器又はペルチェ素子１６によって、本発明による方法に望ましい例えば１０℃未満の温度まで冷却することができる。リザーバタンク１３上又はその内部に配置された温度センサ１８及びレベルセンサ１９によって、本プロセスの実行前、実行中、及び／又は実行後に、リザーバタンク１３内の冷却液１２の温度及びレベルを監視することが可能となる。
【００５１】
図２に示すサーボモータ２１によって、例えば、ソール２に乗せた足の位置の不備を打ち消すために、ベース型３の相互の距離を変更することができる。
【００５２】
ポンプ１０、相手コンタクト８、圧力センサ１５、レーザセンサ６、サーボモータ２１、ペルチェ素子１６、ファン１７、温度センサ１８、及びレベルセンサ１９のような、装置１の電気部品及び電子部品の一部又はすべてに対して、本プロセスの実行前、実行中、及び／又は実行後に、それらを制御及び／又は監視するために、制御装置２２が接続されている。
【００５３】
装置１は、図２に示すように、例えば、本発明による方法又は成形プロセスに適した温度にソール２が発熱体１１によって加熱されたことを通知するための光学表示手段として機能するＬＥＤ２３を有する。図示していない他の光学表示要素及び／又は音響表示要素２４を、制御装置２２に接続することができ、同様にインタラクションインタフェース２５を接続することができ、これを介して制御装置２２の操作又は監視が可能である。
【００５４】
制御装置２２は、スイッチ２６を介して、例えば配電網に接続された電源ユニットである電源２７に接続されている。
【００５５】
例えば、すね当て又はヘルメットのような、ソール２とは異なるウェア２を適合させるための装置１は、図２による装置１の適切な構成を有する。ただし、その場合、接触領域４は、適合対象の身体部分に応じて、水平以外の姿勢とすることができる。すね当てをすねに適合させるためには、接触領域は、例えば、略垂直姿勢とすることができ、ヘルメットを頭に適合させるためには、接触領域の下に配置されたウェアに対して個人が頭を下から接触させるように、接触領域は、例えば、完全に反転させて配置することができる。
【００５６】
図３及び４は、両足のためのソール２を同時に成形することができるように、２つのベース型３を用いて、ソール２を適合させるための、本発明による装置１の代替的な一実施形態を示している。
【００５７】
図３は、この装置１の初期状態を示している。この場合、ソール２の各々を、それぞれの接触領域４に当接させて配置し、それぞれのソール２内又はソール２上に配置されている発熱体１１を、コンタクト９を介して、ベース型３上の相手コンタクト８に接続する。
【００５８】
圧力付与手段５は、未膨張であって、冷却ライン１４を介して、冷却液１２が充填された圧縮性リザーバタンク１３に接続されている。各々の接触領域４に、それぞれ１つのリザーバタンク１３が割り当てられている。冷却ライン１４に、又はリザーバタンク１３と冷却ライン１４との間に、好ましくは制御装置２２に接続されたソレノイド弁である弁２９が配置されており、それらの弁２９は、初期状態では閉止しているので、リザーバタンク１３は、その中に略非圧縮性の冷却液１２を収容していることによって圧縮できない。
【００５９】
リザーバタンク１３内の冷却液１２は、制御装置２２によって制御される圧縮機３３に接続された熱交換器３２を備えた二次回路３１によって、本方法に望ましい温度である例えば約５℃に冷却される。
【００６０】
上記の初期状態中又はその後に、ソール２を発熱体１１によって加熱し、これにより、ソール２は、特に熱可塑性樹脂で構成されたソール２の領域によって変形可能となって、熱弾性状態を呈する。このために必要な温度に達したことを、ＬＥＤ２３のような光通知手段によって通知する。
【００６１】
初期状態中又はその後に、個人がソール２に乗ると、これにより、ソール２の各々に圧力３４が作用する。この圧力３４は、各ソール２から関連した接触領域４に伝送されて、そしてそこから、それぞれ、対応する圧縮性リザーバタンク１３に接続された好ましくはバネであるエネルギー蓄積機構２８に伝送される。
【００６２】
初期状態では、リザーバタンク１３は圧縮できないので、それぞれのエネルギー蓄積機構２８に付与された圧力３４は、例えば変形エネルギーの形で、エネルギー蓄積機構２８に蓄えられる。
【００６３】
図４は、成形プロセス中の、本発明による装置を示している。制御装置２２によって弁２９が開放されると、これにより、エネルギー蓄積機構２８は、それぞれの圧力３４をリザーバタンク１３に放出して、リザーバタンク１３を圧縮させ、そしてリザーバタンク１３に収容されている冷却液１２は、冷却ライン１４を介して圧力付与手段５へと押し出される。これにより、圧力付与手段５は膨張して、対応するソール２の中央領域における底側及びいくつかの狭側に成形圧３５を付与し、そして対応するソール２を足裏に押し当てるか、又は成形する。
【００６４】
この同じ方法ステップにおいて、圧力付与手段５に取り込まれた冷却液１２によって、ソール２から熱を除去し、これにより、熱可塑性樹脂で構成されたソールの領域は、形状安定状態に移行して、足裏の形状を維持する。本実施形態においても、圧力付与手段５は、同時に冷却手段としても機能する。しかしながら、本発明による装置のあらゆる実施形態及び本発明による方法のあらゆる実施形態において、他の冷却手段又は追加的な冷却手段を使用することも想定できる。
【００６５】
各ソール２から足が外され、ひいては圧力３４も取り除かれると、その後、エネルギー蓄積機構２８は、リザーバタンク１３に圧力３４を伝送することはもはやなくなり、その結果、それらのリザーバタンク１３は膨張して、再び初期状態と同じ形状を呈する。これにより、冷却液１２は、圧力付与手段５から冷却ライン１４を通ってリザーバタンク１３に戻るように吸い込まれて、このとき、弁２９は再び閉止される。その後、又はそれと同時に、成形が完了して形状が安定したソール２を、接触領域４から取り外すことができる。
【００６６】
図２に示す装置１の場合と同様に、制御装置２２は、スイッチ２６を介して電源２７に接続されている。同様に、制御装置２２は、インタラクションインタフェース２５を有するとともに、特にディスプレイである表示装置３６に接続されており、さらに、例えばキーボードのような１つ以上の入力装置３７に接続されている。また、他の光学表示要素及び／又は音響表示要素２４を、制御装置２２に接続することも同様に可能であり、それらを制御装置２２によって監視又は制御することが可能である。
【図１】
2019526294.tif 000003
【図２】
2019526294.tif 000004
【図３】
2019526294.tif 000005
【図４】
2019526294.tif 000006
【国際調査報告】
2019526294.tif 000007
2019526294.tif 000008
2019526294.tif 000009
2019526294.tif 000010
2019526294.tif 000011
2019526294.tif 000012